(57)【特許請求の範囲】
【請求項１】
複数の所定のデータおよび前記所定のデータを再生するために使用される対応する各パラメータ情報を格納するための複数個のデータファイルを含有する記録媒体とともに使用する記録再生システムであって、
前記各データファイルがデータファイル保持位置情報を含有する前記記録媒体中に記録される位置のすべての前記データファイル保持位置情報を記録するように動作可能であり、また前記データファイル保持位置情報をシステムファイル中に記録するように動作可能なデータファイル保持位置情報記録デバイスと、
前記パラメータ情報を格納するために使用される前記記録媒体中に含有されるパラメータ情報ファイル中の前記パラメータ情報を記録するように動作可能なパラメータ情報記録デバイスと、
記録された前記データファイル保持位置情報および前記パラメータ情報記録デバイスによって記録された前記パラメータ情報を利用して前記データファイル中に格納された前記所定のデータを再生するように動作可能なデータ再生デバイスとを備え、
前記パラメータ情報ファイルが前記パラメータ情報を格納する順序を利用して前記複数個のデータファイルに固有のデータファイルＩＤが与えられる、記録再生システム。
【請求項２】
前記データファイルが保持される位置のデータファイル格納位置情報が、前記与えられた固有のデータファイルＩＤを利用して前記データファイル保持位置情報中に記録される
請求項１に記載の記録再生システム。
【請求項３】
複数の所定のデータと前記所定のデータを再生するために使用される対応する各パラメータ情報とを格納するための複数個のデータファイルおよびデータファイル保持位置情報を含有する記録媒体中に格納されるデータファイル保持位置情報ファイル中に前記データファイルが保持される位置のデータファイル保持位置情報を記録するステップと、
前記パラメータ情報を格納するために使用される前記記録媒体中に含有されるパラメータ情報ファイル中に前記パラメータ情報を記録するステップと、
前記記録中に記録されるデータファイル保持位置情報および前記パラメータ情報ファイル中に記録された前記パラメータ情報を利用して前記データファイル中に格納される前記所定のデータを再生するステップとを備え、
前記パラメータ情報ファイルが前記パラメータ情報を格納する順序を利用して前記複数個のデータファイルに固有のデータファイルＩＤを付与する、記録再生方法。
【請求項４】
請求項３に記載の記録再生方法をコンピュータに実行させるためのプログラム。
【請求項５】
請求項４に記載のプログラムを記録したプログラム記録媒体であって、コンピュータにより処理可能なプログラム記録媒体。
【発明の詳細な説明】
【技術分野】
【０００１】
本発明は、記録再生システム、記録再生方法、プログラム、およびプログラム記録媒体に関する。
【背景技術】
【０００２】
記録媒体にはデータファイルは、所定のファイルシステムに従って記録されている。したがって、再生時には、データファイルのファイル名をもとに、ファイルシステムを解析して、そのデータファイルの記録媒体上での記録位置を取得して、所望のデータファイルにアクセスして読み出す。再生するデータファイルが選択されるごとに、そのデータファイルの記録位置を取得することも可能であるが、処理性能の高くない再生装置では、ファイルシステムの解析には時間を要するため、記録媒体が挿入された時点で、再生可能なデータファイル全てについて記録位置を取得し、データファイルに対応付けて記録位置をメモリに記憶しておくのが通常である。このようにしておくならば、メモリに記憶されている記録位置をもとに、直ちに、所望のデータファイルを読み出すことができる。
【発明の開示】
【発明が解決しようとする課題】
【０００３】
しかしながら、高速なマイクロコンピュータを搭載していない場合には、ファイルシステムの解析をして個々のデータファイルの記録位置を取得するまでに時間を要し、記録媒体上に記録されているデータファイルの数が多くなるほど、ファイルの数に比例して時間がかかる。その結果、記録媒体を挿入してから再生可能となるまでに時間がかかるという課題があった。
本発明は、上記従来のこのような課題を考慮し、記録媒体が挿入されてからより速やかに再生を行うことができる記録再生システム、記録再生方法、プログラム、およびプログラム記録媒体を提供することを目的とするものである。
【課題を解決するための手段】
【０００５】
第１の本発明は、
複数の所定のデータおよび前記所定のデータを再生するために使用される対応する各パラメータ情報を格納するための複数個のデータファイルを含有する記録媒体とともに使用する記録再生システムであって、
前記各データファイルがデータファイル保持位置情報を含有する前記記録媒体中に記録される位置のすべての前記データファイル保持位置情報を記録するように動作可能であり、また前記データファイル保持位置情報をシステムファイル中に記録するように動作可能なデータファイル保持位置情報記録デバイスと、
前記パラメータ情報を格納するために使用される前記記録媒体中に含有されるパラメータ情報ファイル中の前記パラメータ情報を記録するように動作可能なパラメータ情報記録デバイスと、
記録された前記データファイル保持位置情報および前記パラメータ情報記録デバイスによって記録された前記パラメータ情報を利用して前記データファイル中に格納された前記所定のデータを再生するように動作可能なデータ再生デバイスとを備え、
前記パラメータ情報ファイルが前記パラメータ情報を格納する順序を利用して前記複数個のデータファイルに固有のデータファイルＩＤが与えられる、記録再生システムである。
また、第２の本発明は、
前記データファイルが保持される位置のデータファイル格納位置情報が、前記与えられた固有のデータファイルＩＤを利用して前記データファイル保持位置情報中に記録される第１の本発明の記録再生システムである。
また、第３の本発明は、
複数の所定のデータと前記所定のデータを再生するために使用される対応する各パラメータ情報とを格納するための複数個のデータファイルおよびデータファイル保持位置情報を含有する記録媒体中に格納されるデータファイル保持位置情報ファイル中に前記データファイルが保持される位置のデータファイル保持位置情報を記録するステップと、
前記パラメータ情報を格納するために使用される前記記録媒体中に含有されるパラメータ情報ファイル中に前記パラメータ情報を記録するステップと、
前記記録中に記録されるデータファイル保持位置情報および前記パラメータ情報ファイル中に記録された前記パラメータ情報を利用して前記データファイル中に格納される前記所定のデータを再生するステップとを備え、
前記パラメータ情報ファイルが前記パラメータ情報を格納する順序を利用して前記複数個のデータファイルに固有のデータファイルＩＤを付与する、記録再生方法である。
また、第４の本発明は、
第３の本発明の記録再生方法をコンピュータに実行させるためのプログラムである。
また、第５の本発明は、
第４の本発明のプログラムを記録したプログラム記録媒体であって、コンピュータにより処理可能なプログラム記録媒体である。
【発明を実施するための最良の形態】
【００１３】
以下に、本発明の実施の形態について説明する。
【００１４】
（実施の形態１）
図１は本発明の実施の形態１の記録再生システムである。図１において、１０は記録装置、１１は書込みファイル管理手段、１２は内部記憶手段、１３はデータファイル、１４はファイル記録手段、１５は記録媒体、１６はコンテンツ一覧情報ファイル、１７は記録位置情報ファイル、１８はデータ記録状態取得手段、２０は再生装置、２１は制御手段、２２は再生指示手段、２３はファイル再生手段、２４はデータファイル出力手段、３１は書込みファイル選択手段、３２は情報抽出手段、３３はコンテンツ一覧情報ファイル作成手段、３５はデータ記録状態取得手段である。
【００１５】
本システムは、書込みファイル管理手段１１と内部記憶手段１２、ファイル記録手段１４、データ記録状態取得手段１８から構成される記録装置１０により、データファイルが記録された記録媒体１５を、制御手段２１，再生指示手段２２、ファイル再生手段２３、データファイル出力手段２４から構成される再生装置２０で再生するシステムである。書込みファイル管理手段１１は、書込みファイル選択手段３１、情報抽出手段３２、コンテンツ一覧情報ファイル作成手段３３、記録位置情報ファイル作成手段３４から構成される。
以下、図面を参照しながら動作について説明する。
【００１６】
まず、記録側では、書込みファイル選択手段３１は、内部記憶手段１２から、記録媒体１５に記録したいデータファイル１３を選択し、情報抽出手段３２において、選択したデータファイル１３から、そのデータファイルに格納されているデータに関連した情報を抽出する。コンテンツ一覧情報ファイル作成手段３３は、情報抽出手段３２で抽出した情報のうち、少なくともデータファイル１３に格納されているデータそのものを規定する固有のパラメータ情報をデータファイル１３と対応付けて格納したコンテンツ一覧情報ファイル１６を作成する。ここで、固有のパラメータ情報としては、例えば、ビデオデータであればＡＶＩファイル形式やｗｍｖやａｓｆファイル形式におけるヘッダ情報として格納されている、そのビデオデータを規定するビデオフレームサイズ・フレームレート・データレート、エンコード情報・再生時間等があり、また、音声データであればＡＶＩファイル形式やｗｍａやａｓｆファイル形式におけるヘッダ情報として格納されている、その音声データを規定するサンプリング周波数・チャネル数・圧縮方式情報・演奏時間・データレート等がある。データ記録状態取得手段１８は、記録媒体１５が挿入されていることを検出したら、その記録媒体１５からデータを読み出して、記録データの有無を確認し、既にデータが存在して追記である場合には、追記に必要となるファイルシステムに関するデータを既に記録されているデータから収集する。記録位置情報ファイル作成手段３４は、データ記録状態取得手段１８で収集したデータをもとに、書込みファイル選択手段３１で選択されたデータファイル１３の各々について、それを記録媒体１５に記録したときに、そのファイルの先頭が記録媒体１５上に記録される位置（例えば記録媒体１５がＣＤなら、ロジカルセクターナンバー）を記録位置情報としてあらかじめ算出し、その記録位置情報とファイルのサイズを各々のデータファイル１３と対応づけて格納した記録位置情報ファイルを作成する。ファイル記録手段１４は、これらのデータファイル１３、コンテンツ一覧情報ファイル１６、記録位置情報ファイル１７を記録媒体１５に記録する。ここで、記録位置情報およびファイルサイズは、従来の技術においてはファイルシステムのデータとして記録されるようになっているため、従来技術を用いて算出が可能であるので、ここでは詳細な説明を省略する。
【００１７】
次に、再生側では、ファイル再生手段２３は、制御手段２１の指示に従い、記録媒体１５に記録されているコンテンツ一覧情報ファイル１６の内容を読み出し、記録媒体１５に記録されているデータファイル１３のうち、データファイル出力手段２４が出力可能なデータを格納したデータファイル１３を特定し、その一覧をデータファイル一覧表として内部メモリに格納しておく。さらに、記録位置情報ファイル１７の内容を読み出し、前記データファイル一覧表にリストアップされているデータファイル１３に、そのデータファイルの記録位置情報を追加する。データファイル一覧表にリストアップしているデータファイル１３の中から、再生指示手段２２の指示に従い出力するデータファイル１３を選択されると、内部メモリに格納してある一覧表からそのファイルの記録位置を取得し、その記録位置から再生を開始することにより、所望のデータファイル１３が記録媒体１５から読み出される。データファイル出力手段２４は、読み出されたデータファイル１３の内容をファイル形式から出力形式に変換して出力する。
【００１８】
図２は、コンテンツ一覧情報ファイル１６のデータ格納フォーマットの例を示したものである。コンテンツ一覧情報ファイル１６は、ヘッダ部４０、オーディオファイル部４１、静止画ファイル部４２、ビデオファイル部４３から構成され、オーディオファイル部４１はオーディオパラメータ情報格納部４４とオーディオファイル名格納部４５から構成され、静止画ファイル部４２は静止画パラメータ情報格納部４６と静止画ファイル名格納部４７から構成され、ビデオファイル部４３はビデオパラメータ情報格納部４８とビデオファイル名格納部４９から構成される。
【００１９】
図２では、データファイル１３は、ｎ個のオーディオファイルとｍ個の静止画ファイルとｋ個のビデオファイルの合計（ｎ＋ｍ＋ｋ）個のファイルから構成されるとしており、それぞれのファイルの個数がヘッダ部４０に格納する。オーディオファイル部４１、静止画ファイル部４２、ビデオファイル部４３それぞれの開始位置をファイル先頭からのオフセットをバイト数で表現した値をヘッダ部４０に格納する。オーディオパラメータ情報格納部４４には、オーディオファイル＃１〜＃ｎのそれぞれから抽出したパラメータ情報を順番に格納し、オーディオファイル名格納部４５には、オーディオファイル＃１〜＃ｎのそれぞれのファイル名を順番に格納する。静止画ファイル、ビデオファイルについても同様に抽出したパラメータ情報とファイル名の情報を静止画ファイル部４２、ビデオファイル部４３にそれぞれ格納する。
【００２０】
ここで、コンテンツ一覧情報ファイル１６にパラメータ情報を格納した順番に、対応するデータファイルにＩＤを割り当てる（以下、コンテンツＩＤと呼ぶ）。すわなち、図２に示した例では、オーディオファイル＃１、…、＃ｎにはコンテンツＩＤ＝１、…、ｎを、静止画ファイル＃１、…、＃ｍにはコンテンツＩＤ＝（ｎ＋１）、…、（ｎ＋ｍ）を、ビデオファイル＃１、…、＃ｋにはコンテンツＩＤ＝（ｎ＋ｍ＋１）、…、（ｎ＋ｍ＋ｋ）をそれぞれ割り当てる。
【００２１】
図３は、記録位置情報ファイル１７のデータ格納フォーマットの例を示したものである。記録位置情報ファイル１７はヘッダ部５０とエントリ部５１から構成される。ヘッダ部５０には、エントリ部５１に格納するエントリの数を格納する。この数は、コンテンツ一覧情報ファイル１６にパラメータ情報を格納したデータファイルの数（図２の例では（ｎ＋ｍ＋ｋ）個）と同一である。エントリ部５１には、第１〜第（ｎ＋ｍ＋ｋ）のエントリを格納する。第ｉ番目のエントリ（ｉ＝１、…、（ｎ＋ｍ＋ｋ））にはコンテンツＩＤ＝ｉが割り当てられたデータファイル１３のファイルサイズ情報とファイル先頭の記録位置情報（ロジカルセクタナンバー）を格納する。ここで、コンテンツＩＤはコンテンツ一覧情報ファイル１６で定義したものを意味する。
【００２２】
図４は、再生装置２０の内部メモリに作成されるデータファイル一覧表の例を示したものである。再生装置２０が出力可能なデータファイル１３が、コンテンツ一覧情報ファイル１６に格納されている内容からコンテンツＩＤ＝１、３、８の３つであると判断されたとしたとし、それぞれのデータファイルのファイルサイズと記録位置を記録位置情報ファイル１７から取得して作成する。
【００２３】
以上が、本発明の第１の実施の形態による記録再生システムの構成および動作である。本発明の第１の実施の形態によれば、コンテンツ一覧情報ファイルを読み出すだけで、格納されているパラメータ情報から再生可能なデータファイルを特定できるので、すべてのファイルについて、データを読み出して再生可能なデータ形式であるかを逐一確認する必要がなく、容易に再生可能なデータ形式のファイルのみをユーザに提示して、その中から再生対象ファイルを選択させることができる。
【００２４】
また、記録位置情報ファイルを読み込むだけで全てのコンテンツファイルの記録位置を知ることができるので、記録位置取得のためにファイルシステムを解析する必要がなく、また、コンテンツＩＤは例えば32bitのIDで表現できるので、ファイル名と直接対応付けて格納するのに比べて記録位置情報ファイルのファイルサイズを小さくできるので、記録位置情報ファイルの読み込みに必要な時間を短縮できるので、結果、記録位置を取得するための時間を大幅に短縮でき、起動時間を短縮した応答性の高い再生機器を提供することができる。
【００２５】
また、オーディオ、静止画、ビデオなどデータ形式ごとにデータファイルを分類して、コンテンツ一覧情報ファイルに格納するようにし、ヘッダ部に各分類ごとの格納位置を格納している。このようにすることにより、例えば、オーディオファイルのみしか再生できない再生装置では、オーディオファイルに関する情報以外は不要であるので、コンテンツ一覧情報ファイルを読み出す際、ヘッダ部の情報をもとにオーディオファイル部のみの情報を読み出し、他の部分は読み込まないようにすることができ、その結果、読み出し処理の時間が短縮でき、また、読み出したデータを格納するためのメモリの量を抑えることができるので、応答性がよく、かつ、安価な再生装置を提供することができる。
【００２６】
（実施の形態２）
実施の形態２による記録装置１０の構成を図５に示す。図１に示した実施の形態１による記録装置１０とは、データファイル抽出手段１９を追加している点が異なる。他の構成は図１と同じであるので、同じ番号を付し、説明を省略する。また、再生装置２０は図１に示した実施の形態１による構成と同じである。
【００２７】
以下、図面を参照しながら実施の形態２による記録装置の動作について説明する。
【００２８】
データファイル抽出手段１９は、記録媒体１５が挿入されていることを検出したら、その記録媒体１５のデータを読み出して、コンテンツ一覧情報ファイルに情報を格納すべきデータファイルを検索し、対象となるデータファイルを抽出する。情報抽出手段３２は、書込みファイル選択手段３１で選択されたデータファイル１３とデータファイル抽出手段で抽出されたデータファイル１３を情報抽出の対象とする点のみが実施の形態１と異なる。記録位置情報ファイル作成手段３４は、書込みファイル選択手段３１で選択されたデータファイル１３とデータファイル抽出手段で抽出されたデータファイル１３を情報抽出の対象とする点のみが実施の形態１と異なる。他の構成要素の動作は実施の形態１と同じであるので、説明を省略する。
【００２９】
以上のように、実施の形態２では、記録媒体１５に記録されているデータファイル１３の中から記録されているコンテンツファイルをすべて抽出し、抽出されたデータファイルについても、内部記憶手段１２から選択されたデータファイル１３と同様にコンテンツ一覧情報ファイル１６および記録位置情報ファイル１７へ所定の情報を格納するように動作する。
【００３０】
図６は記録媒体１５としてＣＤ−Ｒメディアを使用して追記したときの動作を概念的に説明した図である。ＣＤ−Ｒメディアではセッションという概念を用いてデータの追記を実現している。
【００３１】
以下、図面を参照しながら、コンテンツ一覧情報ファイル１６および記録位置情報ファイル１７の作成方法を説明する。
【００３２】
図６（ａ）は、本実施の形態による記録装置で記録する前の記録媒体の状態を示している。第１セッションにオーディオファイル＃１が記録されており、その先頭記録位置が１０００ｈ（１６進数を意味します）であることを示している。同図（ｂ）は、オーディオファイル＃２を追記し、さらに、コンテンツ一覧情報ファイル、記録位置情報ファイルを記録した後の記録媒体の状態を示した図である。追記したファイルは、第２セッションに記録される。オーディオファイル＃２の先頭記録位置が２０００ｈ（１６進数を意味します）となっている。コンテンツ一覧情報ファイルには、オーディオファイル＃１とオーディオファイル＃２の情報が格納され、第２セッションに記録される。このときのコンテンツ一覧情報ファイルのオーディオファイル部は図（ｃ）に示すとおりとなる。図（ｄ）は、記録位置情報ファイルのエントリ部である。オーディオファイル＃１とオーディオファイル＃２のそれぞれのファイルサイズと記録位置が格納される。オーディオファイル＃１の記録位置は、図（ａ）の状態の記録媒体を読み出すことでファイルシステムから取得でき、また、オーディオファイル＃２の記録位置が２０００ｈ（１６進数を意味します）になることは、前述のように記録する前にあらかじめ計算することができる。
【００３３】
このようにするならば、従来の方式でデータファイルを記録した記録媒体に対して、既に記録されているデータファイルを対象にコンテンツ一覧情報ファイルおよび記録位置情報ファイルを作成して追記することができるので、従来の方式で記録された記録媒体から本発明に従った記録媒体を容易に作成することができ、再生時の起動を高速化できる優れた効果が得られる。
【００３４】
なお、記録媒体１５にあらかじめ記録されているデータファイルをデータファイル抽出手段１９により自動的に抽出するとして説明したが、ユーザが選択するようにしてもよい。
【００３５】
なお、実施の形態２で説明したように、追記するごとにセッションが増えていくが、有効なコンテンツ一覧情報ファイルは、最終のセッションに記録されている。したがって、再生時には、従来の技術により、先頭セッションから順にセッションをたどり、最終セッションを検出した後、ファイルシステムの解析を行い、コンテンツ一覧情報ファイルにアクセスしなければならない。再生装置において、セッションをたどる処理は、かなりの時間を要するため、セッションが多くなるほど、起動に時間がかかる。ディスクをファイナライズしておけば、Ｎ個のセッションが存在するディスクに対して、Ｎ番目のセッションを検出した時点で、（Ｎ＋１）番目のセッションが存在しないことがわかるので、（Ｎ＋１）番目のセッションが存在するかどうか確認する処理が必要ないので、その分、起動が早くなる。また、一つのセッションを作成した後、ディスクをファイナライズしておくならば、２番目以降のセッションが存在しないことがただちにわかるので、セッションをたどる処理が発生しないので、起動を高速化できる。記録装置では、
このような目的で、ユーザがこれ以上追記する必要がないと指示した時点、あるいは、１つのセッションを作成した時点でディスクをファイナライズするような機能を備えるようにしてもよい。このようにするならば、上述したような、再生時の起動を高速化する、という優れた効果を得ることができる。
【００３６】
（実施の形態３）
上記したように本発明の実施の形態１および実施の形態２では、記録位置情報ファイルにファイルサイズと記録位置の情報を格納しておき、再生時にこの情報を読み出して用いることにより、ファイルシステムの内容を解析することなく、コンテンツ一覧情報ファイルにリストアップされているデータファイルのファイルサイズと記録位置を得ることができるので、結果、記録媒体を挿入してから再生準備が完了するまでの時間を大幅に短縮できるという優れた効果を得ることができる。
【００３７】
しかしながら、記録位置情報ファイルを作成する処理は、ファイルシステム用の記録データを作成するのと同等の処理が必要であり処理が複雑となる。このため、記録装置の処理を簡素化するため記録位置情報ファイルの作成および記録は実施せずに、コンテンツ一覧情報ファイルのみを作成して記録する記録装置もあり得る。
【００３８】
このとき、一旦、コンテンツ一覧情報ファイルと記録位置情報ファイルとデータファイルを記録した記録媒体を作成し、次に、この記録媒体に、記録位置情報ファイルを記録しない記録装置で追記した場合には、コンテンツ一覧情報ファイルのみが更新され、記録位置情報ファイルは元のままである。結果、コンテンツ一覧情報ファイルと記録位置情報ファイルの情報に矛盾が発生してしまい、再生装置において、正常に再生できないという問題が発生する。
【００３９】
次に、このような問題を解決するようにした本発明の実施の形態３による記録再生システムについて説明する。
【００４０】
実施の形態３による記録再生システムの構成は実施の形態２による構成と同じである。コンテンツ一覧情報ファイルおよび記録位置情報ファイルに情報を追加する点と再生装置の動作が異なる。以下、これについて説明する。
【００４１】
図７は、実施の形態３によるコンテンツ一覧情報ファイルの例を示した図である。図２に示した実施の形態１および実施の形態２によるコンテンツ一覧情報ファイルのヘッダ部に、世代管理情報を格納するようにしている点が異なる。世代管理情報には、４バイトの
乱数を生成して格納する。
【００４２】
図８は、実施の形態３による記録位置情報ファイルの例を示した図である。図２に示した実施の形態１および実施の形態２による記録位置情報ファイルのヘッダ部に、世代管理情報を格納するようにしている点が異なる。世代管理情報には、コンテンツ一覧情報ファイルに格納した値と同一の値を格納する。
【００４３】
次に、実施の形態３による再生装置の動作について説明する。
【００４４】
図９は、再生装置１０が、記録媒体が挿入されていることを検出したときの、再生準備の処理の流れを示すフローチャートである。
【００４５】
ステップ１００において、まず、ファイルシステムのデータを解析して、コンテンツ一覧情報ファイルのファイルサイズ、記録位置を取得し、そのデータに基づきコンテンツ一覧情報ファイル１６にアクセスして内容を読み出す。次に、ステップ１０１において、ファイルシステムのデータを解析して、記録位置情報ファイルが記録媒体上に記録されているかを判断する。もし、記録されていれば、ステップ１０２に進み、記録位置情報ファイルの内容を読み出し、ステップ１０３において、コンテンツ一覧情報ファイルと記録位置情報ファイルそれぞれに格納されている世代管理情報が一致するか判断する。一致している場合には、ステップ１０４において、コンテンツ一覧情報ファイルにリストアップされているデータファイルと記録位置情報ファイルに格納されているファイルサイズ、記録位置を対応付ける。
【００４６】
ステップ１０１またはステップ１０３で、一致していない場合には、記録位置情報ファイルが存在しないか、内容がコンテンツ一覧情報ファイルと対応していないことを意味しているので、従来のファイルシステムを解析する方法によりデータファイルごとにファイルサイズ、記録位置を取得して、対応づける。
【００４７】
以上が、再生装置における、再生準備処理の流れである。
【００４８】
このようにするならば、コンテンツ一覧情報ファイルは更新されたが、記録位置情報ファイルは更新されなかった場合、再生装置が、まちがった記録位置情報でファイルにアクセスしてしまい正常に再生できない動作に陥るのを防止することができる。また、あやまって、コンテンツ一覧情報ファイルあるいは記録位置情報ファイルと同名のファイルで上書きされてしまった場合にも、同様の効果を奏する。
【００４９】
（実施の形態４）
記録装置は、図５において、データ記録状態取得手段１８、記録位置情報ファイル作成手段３４がなく、記録位置情報ファイルを作成・記録しない。コンテンツ一覧情報ファイルのgenerationフィールドに所定の値を格納する。
【００５０】
再生装置の構成は、図１と同じである。再生準備動作が異なる。その処理の流れを図１０に示す。図９とは、ステップ１０１のかわりにステップ１１０としている部分が異なる。すなわち、コンテンツ一覧情報ファイルを読み出し、generationフィールドが所定の値であれば、記録媒体上に記録位置情報ファイルが記録されているか確認せず、ただちにファイルシステムを解析する動作とする。
【００５１】
以上においては、実施の形態１〜４について詳細に説明を行った。
【００５２】
なお、再生装置では、再生指示手段２２としてリモコンによる指示を前提として再生するように記述しているが、本体に取り付けたパネルなどによる指示によっても、同等の機能が実現できることは明らかである。
【００５３】
もちろん、本発明の記録媒体は、ＣＤ−Ｒ（Ｃｏｍｐａｃｔ  Ｄｉｓｋ−Ｒｅｃｏｒｄａｂｌｅ）メディアやＤＶＤ−Ｒ（Ｄｉｇｉｔａｌ  Ｖｅｒｓａｔｉｌｅ  Ｄｉｓｋ−Ｒｅｃｏｒｄａｂｌｅ）メディアなどのリムーバブルメディアであってもよいし、記録装置や再生装置に内蔵されるＨＤＤ（Ｈａｒｄ  Ｄｉｓｋ  Ｄｒｉｖｅ）などの内蔵記憶装置であってもよい。
【００５４】
尚、本発明に関連する発明のプログラムは、上述した本発明の記録再生システムの全部又は一部の手段（又は、装置、素子等）の機能をコンピュータにより実行させるためのプログラムであって、コンピュータと協働して動作するプログラムである。
【００５５】
又、本発明のプログラムは、上述した本発明の記録再生方法の全部又は一部のステップ（又は、工程、動作、作用等）の動作をコンピュータにより実行させるためのプログラムであって、コンピュータと協働して動作するプログラムである。
【００５６】
又、本発明に関連する発明のプログラム記録媒体は、上述した本発明の記録再生システムの全部又は一部の手段（又は、装置、素子等）の全部又は一部の機能をコンピュータにより実行させるためのプログラムを記録したプログラム記録媒体であり、コンピュータにより読み取り可能且つ、読み取られた前記プログラムが前記コンピュータと協動して前記機能を実行するプログラム記録媒体である。
【００５７】
又、本発明のプログラム記録媒体は、上述した本発明の記録再生方法の全部又は一部のステップ（又は、工程、動作、作用等）の全部又は一部の動作をコンピュータにより実行させるためのプログラムを記録したプログラム記録媒体であり、コンピュータにより読み取り可能且つ、読み取られた前記プログラムが前記コンピュータと協動して前記動作を実行するプログラム記録媒体である。
【００５９】
尚、本発明に関連する発明の上記「一部の手段（又は、装置、素子等）」とは、それらの複数の手段の内の、一つ又は幾つかの手段を意味し、本発明の上記「一部のステップ（又は、工程、動作、作用等）」とは、それらの複数のステップの内の、一つ又は幾つかのステップを意味する。
【００６０】
又、本発明に関連する発明の上記「手段（又は、装置、素子等）の機能」とは、前記手段の全部又は一部の機能を意味し、本発明の上記「ステップ（又は、工程、動作、作用等）の動作」とは、前記ステップの全部又は一部の動作を意味する。 
【００６１】
又、本発明のプログラムの一利用形態は、コンピュータにより読み取り可能な記録媒体に記録され、コンピュータと協働して動作する態様であっても良い。
【００６２】
又、本発明のプログラムの一利用形態は、伝送媒体中を伝送し、コンピュータにより読みとられ、コンピュータと協働して動作する態様であっても良い。
【００６４】
又、記録媒体としては、ＲＯＭ等が含まれ、伝送媒体としては、インターネット等の伝送媒体、光・電波・音波等が含まれる。
【００６５】
又、上述した本発明のコンピュータは、ＣＰＵ等の純然たるハードウェアに限らず、ファームウェアや、ＯＳ、更に周辺機器を含むものであっても良い。
【００６６】
尚、以上説明した様に、本発明の構成は、ソフトウェア的に実現しても良いし、ハードウェア的に実現しても良い。
【００６７】
上述した本実施の形態によれば、コンテンツ一覧情報ファイルの内容に対応した有効な記録位置情報ファイルが存在するかどうかを、ファイルシステムを解析して判断する必要がないので、起動時間の増加を防止することができる。
【産業上の利用可能性】
【００６８】
以上述べたところから明らかなように、本発明は、記録媒体が挿入されてからより速やかに再生を行うことができるという長所を有する。
【図面の簡単な説明】
【００６９】
【図１】本発明の実施の形態１の記録再生システムの説明図
【図２】本発明の実施の形態１のコンテンツ一覧情報ファイル１６のデータ格納フォーマットの説明図
【図３】本発明の実施の形態１の記録位置情報ファイル１７のデータ格納フォーマットの説明図
【図４】本発明の実施の形態１の再生装置２０の内部メモリに作成されるデータファイル一覧表の説明図
【図５】本発明の実施の形態２の再生装置２０の内部メモリに作成されるデータファイル一覧表の説明図
【図６】本発明の実施の形態２の記録媒体１５としてＣＤ−Ｒメディアを使用して追記したときの動作の説明図
【図７】本発明の実施の形態３のコンテンツ一覧情報ファイルの説明図
【図８】本発明の実施の形態３の記録位置情報ファイルの説明図
【図９】本発明の実施の形態３の、再生装置１０が、記録媒体が挿入されていることを検出したときの、再生準備の処理の流れを示すフローチャート
【図１０】本発明の実施の形態４の再生準備動作の処理の流れの説明図
【符号の説明】
【００７０】
１０  記録装置
１１  書込みファイル管理手段
１２  内部記憶手段
１３  データファイル
１４  ファイル記録手段
１５  記録媒体
１６  コンテンツ一覧情報ファイル
１７  記録位置情報ファイル
１８  データ記録状態取得手段
２０  再生装置
２１  制御手段
２２  再生指示手段
２３  ファイル再生手段
２４  データファイル出力手段
３１  書込みファイル選択手段
３２  情報抽出手段
３３  コンテンツ一覧情報ファイル作成手段
３４  記録位置情報ファイル作成手段
４０  ヘッダ部
４１  オーディオファイル部
４２  静止画ファイル部
４３  ビデオファイル部
４４  オーディオパラメータ情報格納部
４５  オーディオファイル名格納部
４６  静止画パラメータ情報格納部
４７  静止画ファイル名格納部
４８  ビデオパラメータ情報格納部
４９  ビデオファイル名格納部
５０  ヘッダ部
５１  エントリ部
５２  第１番目のエントリ
【図１】
0004431110.tif 000002
【図２】
0004431110.tif 000003
【図３】
0004431110.tif 000004
【図４】
0004431110.tif 000005
【図５】
0004431110.tif 000006
【図６】
0004431110.tif 000007
【図７】
0004431110.tif 000008
【図８】
0004431110.tif 000009
【図９】
0004431110.tif 000010
【図１０】
0004431110.tif 000011